(57)【要約】【課題】単純な構造かつ動作電力を使わないで生ゴミを処理することができる生ゴミ処理装置を提供する。【解決手段】２日毎に発生した生ゴミを好気性微生物と予め混合させ、角型筒状部材３の内部に投入して分解処理させると共に、底板及びセパレーターとして用いる格子状板部材７ａ，７ｂ・・・で仕切ることによって、角型筒状部材３の内部に空気を流通させることができ、また、投入した混合生ゴミの日毎に格子状板部材７ａ，７ｂ・・・を用いて区切り、分解処理された混合生ゴミの区画毎に角型筒状部材３から取り出す。【選択図】      図４
2004167375.tif 000002
【特許請求の範囲】
【請求項１】
凹型に形成された載置台と、
前記載置台に立接し、上端部及び下端部に開放部を備える筒状部材と、
前記筒状部材の内部に挿入可能な格子状板部材と、
前記格子状板部材が所定勾配となるように係止するために、前記筒状部材の下端部近傍に設けられた一対の上部係止部材と、
前記格子状板部材の一端部を係止するために前記上部係止部材の下方に設けられた下部係止部材と、
前記筒状部材の上端部の開放部を開け閉め自在に設けられた網目状部材と、
を備えて構成され、前記上端部から混合生ゴミを投入し、下端部から処理済み混合生ゴミを取り出すことを特徴とする生ゴミ処理装置。
【請求項２】
前記混合生ゴミは、生ゴミと好気性微生物との混合物で形成されることを特徴とする請求項１に記載の生ゴミ処理装置。
【発明の詳細な説明】
【０００１】
【発明の属する技術分野】
本発明は、一般家庭、レストラン、幼稚園等での生ゴミを、微生物を用いて収納容器内で分解処理させる生ゴミ処理装置に関する。
【０００２】
【従来の技術】
従来の一般家庭用の生ゴミ処理装置として、発酵菌や微生物を利用した生ゴミ処理装置（生ゴミ処理器）がある。このような生ゴミ処理装置は、生ゴミを収納する筒状容器と、この筒状容器の内部で、生ゴミを攪拌する攪拌装置と、生ゴミを乾燥させるための加温装置等を備えて構成されている。
【０００３】
このように構成された生ごみ処理装置は、筒状容器の内部に生ゴミを投入するのと同時に生ゴミを分解する発酵菌や微生物等を投入する。そして、攪拌装置を用いて攪拌させて、生ゴミと発酵菌や微生物を混ぜ合わせながら、発酵菌や微生物に空気を送り分解処理をさせている（例えば、特許文献１参照）。
【０００４】
【特許文献１】
特開平９−１４１２３６（全頁、第１図）
【０００５】
【発明が解決しようとする課題】
しかしながら、従来の生ゴミ処理装置は、攪拌装置、加温装置等を動作させるために動作電力が必要となり、動作電力が供給できる場所にしか設置することができないという問題があった。
また、攪拌装置、加温装置等を制御する制御装置なども必要となり構造が複雑になってしまうという問題があった。
【０００６】
そこで、本発明は、単純な構造かつ動作電力を使わないで生ゴミを処理することができる生ゴミ処理装置を提供することを目的とする。
【０００７】
【課題を解決するための手段】
前記した課題を解決するため、本発明の生ゴミ処理装置は、凹型に形成された載置台と、前記載置台に立接し、上端部及び下端部に開放部を備える筒状部材と、前記筒状部材の内部に挿入可能な格子状板部材と、前記格子状板部材が所定勾配となるように係止するために、前記筒状部材の下端部近傍に設けられた一対の上部係止部材と、前記格子状板部材の一端部を係止するために前記上部係止部材の下方に設けられた下部係止部材と、前記筒状部材の上端部の開放部を開け閉め自在に設けられた網目状部材と、を備えて構成され、前記上端部から混合生ゴミを投入し、下端部から処理済み混合生ゴミを取り出すことを特徴とする。
【０００８】
ここで、混合生ゴミは、家庭などで廃棄される生ゴミと、生ゴミを分解させる好気性微生物等を混ぜ合わせたものであり、時間経過によって、生ゴミを好気性微生物を用いて分解させる上で好適である。なお、好気性微生物は、特に限定されるものではなく、例えば、トリコデルマ属、ストレプトマイセス属、アスペルギルス属、セルソモナス属、クロストリジウム属、リゾプス属、ペニシリウム属、ロドシウドモナス属、アースロバクター属、チオバチルス属、バチルス属、フラボバクテリウム属、シウドモナス属等に属する好気性微生物を用いることができる。
また、格子状板部材は、格子状に形成されることによって空気を通過させることができると共に、格子状板部材に混合生ゴミを載置しても落下することがないような格子の幅に形成されている。
【０００９】
本発明の生ゴミ処理装置によれば、載置台を凹形状に形成し、この凹形状の一部と筒状部材を立接させ、筒状部材の上端部及び下端部に開放部を備えることで、筒状部材内部に空気を流通させることができ、また、筒状部材の内部に格子状板部材を上部係止部材で係止した状態で、混合生ゴミを投入するので、空気の流通を妨げることがなく、簡易な構成で混合生ゴミを分解処理することができる。
【００１０】
また、本発明の前記混合生ゴミは、生ゴミと好気性微生物との混合物で形成されることを特徴とする。
【００１１】
また、本発明の生ゴミ処理装置によれば、混合生ゴミを装置内に投入して分解処理させるため、投入後に攪拌する必要がない。また、格子状板部材の上部に混合生ゴミを投入するので、筒状部材の内部に投入しても、混合生ゴミに通気させることができ、生ゴミを好気性微生物を用いて効率的に筒状部材の内部で分解処理させることができる。
【００１２】
【発明の実施の形態】
以下、本発明の一実施形態の係る生ゴミ処理装置を、適宣図面を参照して説明する。図１は、本実施形態における生ゴミ処理装置の構成を示した斜視図である。図２（ａ）は、図１に示した生ゴミ処理装置の断面図であり、図２（ｂ）は、上部係止部材及び下部係止部材を示した拡大図である。
【００１３】
図１に示すように、本発明の生ゴミ処理装置１は、載置台２と、この載置台２に立接された角型筒状部材３と、この角型筒状部材３の下端部近傍に備えられた一対の上部係止部材４ａ，４ｂと、下部係止部材５と、角型筒状部材３の上端部に設けられた防虫ネット６とを備えて構成されている。
【００１４】
載置台２は、凹形状に形成され、開口部から角型筒状部材３の内部３ａに空気が流通できるように形成され、載置台２の長さは、角型筒状部材３の開口部より長く形成され、立接したとき載置台２の先端が角型筒状部材３より前方に突出し上面が開放されている。また、図２に示すように、載置台２の奥側には後記する格子状板部材７ａ・・・を所定勾配に傾ける載置部材２ａを備え、この載置部材２ａに格子状板部材７ａ・・・の一端が接することで、載置台２の内部で格子状板部材を所定の勾配に維持することができる。
【００１５】
角型筒状部材３は、４つの面で形成された筒状部材（図１参照）であり、角型筒状部材３の上端部をふさぐ防虫ネット６と、この防虫ネット６を固定する固定部材６ａを備えている。この固定部材６ａは、防虫ネット６の一端部を固定し、他端部から上端部の開放部を開け閉め自在に構成されている。
また、角型筒状部材３の下端部近傍の前面における外面側には、全幅にわたって、固定部材３ｂが設けられている。また、前方側の固定部材３ｂには、２つ備える上部係止部材４ａと固定部材３ｂの中間部分に下部係止部材５とを備え、後方側の固定部材３ｂには、２つ備える上部係止部材４ｂを備えている。
【００１６】
上部係止部材４ａ，４ｂは、図２（ｂ）に示すように、角型筒状部材３の相対する外壁面の前面及び後面でほぼ水平になるように、抜き指しすることができるように構成されている。
下部係止部材５は、取手５ａとＬ型形状部材５ｂとで構成され、Ｌ型形状部材５ｂを上方に伸ばした軸５ｃを中心に取手５ａを回転させると、Ｌ型形状部材５ｂを回転させることができるように構成されている。
【００１７】
防虫ネット６は、混合生ゴミを投入した角型筒状部材の内部３ａに、虫などの侵入を防止するのと同時に、角型筒状部材３の内部３ａに空気を流通させるために、網目状に形成されている。なお、防虫ネット６を形成する材料は、特に限定されるものではなく、虫の侵入を防止し、空気が通過することができるものであればどのようなものを用いてもよい。
【００１８】
また、格子状板部材７ａ，７ｂ，・・・（図３参照）は、角型筒状部材３の内部３ａに投入し、底板又はセパレーターとして用いると共に、格子状板部材７ａ，７ｂ，・・・の上面に混合生ゴミを載置するための部材であり、使用時には、高さ方向に所定の間隔となるように設けることが好ましい。また、この格子状板部材は、空気が通過できるように、格子状に形成されている。
【００１９】
次に、このように構成された生ゴミ処理装置１において、混合生ゴミの投入方法を、図を用いて詳細に説明する。図３（ａ）〜（ｄ）は、図１に示した生ゴミ処理装置の内部に混合生ゴミを投入していく状態を示す断面図である。
【００２０】
まず、図３（ａ）に示すように、角型筒状部材３の内部３ａ（図１参照）に格子状板部材７ａを投入し、上部係止部材４ａ，４ｂの上に載置して格子板状部材７ａを係止する。次に、図３（ｂ）に示すように、格子状板部材７ａの上部に約２日分の混合生ゴミ８ａをほぼ水平となるように投入する（第１回目）。そして、格子状板部材７ａの上面に混合生ゴミ８ａを投入後、好気性微生物を吸着させたオガクズを混合生ゴミ８ａの上面に投入する。その後、角型筒状部材３の上端部に備えた防虫ネット６で解放部を閉じ、角型筒状部材３の内部３ａに、虫等の進入を防止する。なお、混合生ゴミとは、生ゴミと好気性微生物を予め混合させたものであり、特に、好気性微生物をオガクズ等に吸着させて生ゴミと混合させることで、生ゴミ内に適度な空隙を作り出すことができる。その結果、好気性微生物に空気を流通させることができ、生ゴミの分解処理をスムーズに行うことができる。また、混合生ゴミの投入量は、２日間に発生する生ゴミを１回分として投入している。
【００２１】
３，４日目に発生した生ゴミは（第２回目）、第１回目と同様に、ゴミ処理装置１に投入する前に、生ゴミと好気性物微生物を予め混合するとともに、図３（ｃ）に示すように、混合生ゴミ８ａの上面に格子状板部材７ｂを載置した後に、混合生ゴミ８ｂを投入して分解処理させる。
【００２２】
さらに、５，６日目に発生した生ゴミは（第３回目）、図３（ｄ）に示すように、１回目や２回目と同様の過程を行い角型筒状部材３の内部３ａに投入する。それ以降、角型筒状部材３の上端部近傍まで同様の過程を繰り返して投入する。
【００２３】
なお、角型筒状部材３の上端部まで、混合生ゴミを投入しても、角型筒状部材３の内部３ａは、空気の流通が可能であり、底板及びセパレーターで用いた格子状板部材７ａ，７ｂも空気が通過できると共に、混合生ゴミにオガクズを混ぜ合わせてあるので、生ゴミの分解熱が発生すると、下から上へ空気の流れが発生し、記載置台２の凹部から進入した空気が角型筒状部材３の内部３ａを通過し、上端部から排気する。この結果、混合生ゴミに空気を流通させることができ、混合生ゴミに混合した好気性微生物によって、さらに加速された分解処理を行うことができる。
【００２４】
次に、角型筒状部材３の上端部まで混合生ゴミ８ａ，８ｂ，・・・が詰まった状態において、角型筒状部材３の下端部から混合生ゴミの取り出し方法について、図を用いて詳細に説明をする。
【００２５】
図４（ａ）〜（ｄ）は、図１に示した生ゴミ処理装置の内部に投入された混合生ゴミの取り出し方法を示した断面図である。
図４（ａ）に示すように、角型筒状部材３の前面の上部係止部材４ａを引き抜き、係止部材４ａで係止されている格子状板部材７ａの一端を積層している混合生ゴミの重さで落下させ下部係止部材５で係止させる。
【００２６】
そして、図４（ｂ）に示すように、係止部材４ａを角型筒状部材３の内部３ａ方向に差し込む。その後、後方の上部係止部材４ｂを引き抜き、格子状板部材７ａの一端を落下させて載置台２の内部の載置部材２ａに係止させる。
【００２７】
次に、図４（ｃ）に示すように、下部係止部材５のＬ型形状部材５ｂで係止されている格子状板部材７ａの一端部を、下部係止部材５の取手５ａを回転させて係止状態を解除して載置台２の底部に落下させる。このとき、格子状板部材７ａの一端部が落下するのと同時に、角型筒状部材３の内部３ａの混合生ゴミ８ａ，８ｂ，・・・の重さで最下部の格子状板部材７ａとその上の格子状板部材７ｂの間にある混合生ゴミ８ａが載置台２の内部に落下する。なお、格子状板部材７ｂは、混合生ゴミの重さで落下するが上部係止部材４ａ，４ｂで係止される。
【００２８】
その後、図４（ｄ）に示すように、載置台２の内部に落下した格子状板部材７ａを、引き出し部材９等で載置台２の内部から引き出すと共に、載置台２の凹部に落下した混合生ゴミ８ａを取り出す。なお、取り出された混合生ゴミ８ａは、好気性微生物によって分解処理されており、土壌改良剤や肥料として利用することができる。また、オガクズは、そのまま、生ゴミ処理に繰り返し使うことができる。
【００２９】
これより本発明の生ゴミ処理装置は、２日毎に発生した生ゴミを好気性微生物と予め混合させ、角型筒状部材３の内部に投入して分解処理させると共に、底板及びセパレーターとして用いる格子状板部材７ａ，７ｂ・・・で仕切ることによって、角型筒状部材３の内部３ａに空気を流通させることができる。また、投入した混合生ゴミの日毎に格子状板部材７ａ，７ｂ・・・を用いて区切ることができる。また、角型筒状部材３から分解処理された混合生ゴミを区画毎に取り出すことができる。
【００３０】
以上、本発明の一実施の形態について説明したが、本発明はこのような実施の形態のみに限定されるものではなく、本発明の技術的思想に基づく限りにおいて、種々の変形が可能である。
【００３１】
例えば、載置台２の底部に、台車やローラ等の移動手段を備える構成にして、生ゴミ処理装置１を移動可能に構成しても同様の効果を得ることができる。
【００３２】
また、実施の形態で角型筒状部材３を用いたが、円筒状部材等の種々の形に変形した形状の生ゴミ処理装置でも、同様の効果を得ることができる。
【００３３】
さらに、生ゴミ処理装置１の角型筒状部材３の壁面に複数の貫通孔を形成し、角型筒状部材３の内部３ａに空気を流通させるように構成しても同様の効果を得ることができる。
【００３４】
また、生ゴミ処理装置１の角型筒状部材３の内部３ａに、例えば、活性炭等の脱臭部材を設け、角型筒状部材３の内部３ａを脱臭する構成にしてもよい。
【００３５】
【実施例】
次に、このように構成された生ごみ処理装置の実施例を詳細に説明する。
なお、生ゴミ処理装置の構成は、実施の形態において説明したものと同様であり、詳細な説明は省略する。
まず、角型筒状部材３の下端部近傍に備えられた一対の上部係止部材４ａ，４ｂ上に載置して格子状板部材７ａを係止する。その後、第１回目（１日目）の生ゴミとオガクズ（好気性微生物を浸透させたオガクズ）を約１：５でバケツ等を用いて攪拌し混合生ゴミを作成し、この混合生ゴミを角型筒状部材３の内部３ａの格子状板部材７ａの上部にほぼ水平となるように投入する。そして、格子状板部材７ａの上面に混合生ゴミを投入後、約２ｃｍ程度のオガクズを投入する。その後、角型筒状部材３の上端部に備えた防虫ネット６で開放部を閉じ、角型筒状部材３の内面３ａに虫等の侵入を防止する。さらに、第１回目（２日目）の混合生ゴミを第１日目と同様に投入する。
【００３６】
第２回目（３，４日目）は、第１回目と同様に、オガクズの上面に格子状板部材７ｂを敷き、その上部に混合生ゴミを投入し、混合生ゴミの上部にオガクズを敷いて分解処理させる。同様に、第３回目、第４回目・・・というように格子状板部材と混合ゴミの組み合わせで投入していき、第７回目（最初の混合生ゴミを投入してから２週間後）まで投入した時点で、処理中の混合生ゴミを載置台２の内部に落下させる落下作業を行う。
【００３７】
まず、角型筒状部材３の下端部近傍の上部係止部材４ａ，４ｂを引き抜き、格子状板部材７ａを落下させて下部係止部材５と載置部材２ａで係止させる。その後、上部係止部材４ａ，４ｂを元の状態に差し込む。
【００３８】
次に、下部係止部材５のＬ型形状部材５ｂで係止されている格子状板部材７ａの一端部を、下部係止部材の取手５ａを回転させて係止状態を解除して載置台２の内部に格子状板部材７ａを落下させる。そして、載置台２の内部に落下した格子状板部材７ａを、引き出し部材９等を用いて載置台２の内部から引き出し、載置台２の内部に落下した混合生ゴミを取り出す。取り出された混合生ごみは、次の生ゴミの投入時のオガクズとして再利用する。
【００３９】
そして、角型筒状部材３の上端部から混合生ゴミを投入すると共に、下端部の好気性微生物で処理された生ゴミを取り出す過程を繰り返して処理する。
【００４０】
また、３カ月に一回程度、載置台２の内部から回収された（処理済みの混合生ゴミ）混合生ゴミを篩いに掛けて、大きなゴミなどを取り除き、土壌改良剤や肥料として使用することができ、また、オガクズは再度、生ゴミ処理装置に投入して繰り返し利用する。
【００４１】
この結果、角型筒状部材３に投入した混合生ごみが約１４日後には、角型筒状部材３の最下端部の混合生ゴミが好気性微生物により分解されるのと同時に、角型筒状部材３に投入した時の混合生ごみの重さに比べて１／１０〜１／２０に減量化することができる。そして、分解処理済の混合生ゴミは、熟成の後、土壌改良剤や肥料として利用することが可能となった。
【００４２】
【発明の効果】
以上より、本発明の生ゴミ処理装置は、筒状部材の内部に格子状板部材と混合生ゴミの一組として投入し、筒状部材の内部に複数組積層されても、混合生ゴミに空気を流通させると共に、好気性微生物を用いて分解処理することができる。
また、筒状部材の内部に格子状板部材と混合生ゴミの組み合わせで複数積層し、筒状部材の上端部に混合生ゴミが達するころには、筒状部材の下端部に位置する混合生ゴミは好気性微生物によって分解処理することができる。
【図面の簡単な説明】
【図１】本実施形態における生ゴミ処理装置の構成を示した斜視図である
【図２】（ａ）は、  図１に示した生ゴミ処理装置の断面図である。
（ｂ）は、  係止部材の動作を示した拡大図である。
【図３】（ａ）〜（ｄ）は、図１に示した生ゴミ処理装置の内部に混合生ゴミを投入していく状態を示す断面図である。
【図４】（ａ）〜（ｄ）は、図１に示した生ゴミ処理装置の内部に投入された混合生ゴミの取り出し方法を示した断面図である。
【符号の説明】
１    ・・・  生ゴミ処理装置
２    ・・・  載置台
３    ・・・  角型筒状部材
３ａ  ・・・  内部
３ｂ  ・・・  固定部材
４ａ  ・・・  上部係止部材
４ｂ  ・・・  上部係止部材
５    ・・・  下部係止部材
５ａ  ・・・  取手
５ｂ  ・・・  Ｌ型形状部材
５ｃ  ・・・  軸
６    ・・・  防虫ネット
６ａ  ・・・  固定部材
７ａ  ・・・  格子状板部材
７ｂ  ・・・  格子状板部材
８ａ  ・・・  混合生ゴミ
８ｂ  ・・・  混合生ゴミ
８ｃ  ・・・  混合生ゴミ
９    ・・・  引き出し部材
【図１】
2004167375.tif 000003
【図２】
2004167375.tif 000004
【図３】
2004167375.tif 000005
【図４】
2004167375.tif 000006